(57)【要約】      （修正有）【課題】旅館等でマットレス等を宿泊者の体型に合わせることを可能とする寝姿勢体型の分類法及びそれを利用した宿泊者の体型に適した寝具の選定システムの提供。【解決手段】体重身長をｘｙ軸とし体重身長及び体格指数ＢＭＩを基準に、基準体重値ａのラインで体重を高体重範囲Ｈと低体重範囲Ｓの２群に分け、高体重範囲Ｈでは基準身長値ｂのラインと基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブと低身長Ｂタイプに２分割し、所定基準体重ａ未満の低体重範囲Ｓ側では、基準身長値ｂ´のラインと基準ＢＭＩ値ｃ´のラインとの交点Ｐより低体重側は基準身長値ｂ´のラインを、交点Ｐ以上の高体重側ではＢＭＩ値ｃ´のラインをそれぞれ境界線として低体重範囲Ｓを高身長Ｙタイプと低身長Ａタイプに２分割する寝姿勢体型分類方法。【選択図】図５
2006320647.tif 000002
【特許請求の範囲】
【請求項１】
体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐより低体重側は基準身長値ｂ´のラインを、前記交点Ｐ以上の高体重側ではＢＭＩ値ｃ´のラインをそれぞれ境界線として低体重範囲Ｓをを高身長Ｙタイプ側と低身長Ａタイプ側とに２分割し、高身長Ｙタイプ側をほっそり体型，低身長Ａタイプ側を小柄体型として寝姿勢体型を分類することを特徴とする寝姿勢の体型別分類方法。
【請求項２】
請求項１記載の寝姿勢の体型別分類方法において、基準ＢＭＩ値ｃのラインを基準体重値ａ以下の範囲で延長し、延長した基準ＢＭＩ値ｃよりも高体重側にある範囲を低身長Ｂタイプの範囲に加え、基準ＢＭＩ値ｃ´のラインを基準体重値ａ以上の範囲まで延長し、延長した基準ＢＭＩ値ｃ´よりも低体重側にある範囲を高身長タイプＹに加えたことを特徴とする寝姿勢の体型別分類方法。
【請求項３】
体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐより低体重側は基準身長値ｂ´のラインを、前記交点Ｐ以上の高体重側ではＢＭＩ値ｃ´のラインをそれぞれ境界線として低体重範囲Ｓをを高身長Ｙタイプ側と低身長Ａタイプ側とに２分割し、高身長Ｙタイプ側をほっそり体型，低身長Ａタイプ側を小柄体型として寝姿勢体型を分類し、上記寝姿勢体型分類方法により、寝具使用者の体型を事前に検知し、あらかじめ身長体重のバラエテイに順じて準備した寝具の内から、寝具を使用する人の体重と身長に見合った敷き寝具を選択することを特徴とする寝具選定システム。
【請求項４】
請求項３記載の寝具選定システムにおいて上記基準ＢＭＩ値ｃのラインを基準体重値ａ以下の範囲で延長し、延長した基準ＢＭＩ値ｃよりも高体重側にある範囲を低身長Ｂタイプの範囲に加え、基準ＢＭＩ値ｃ´のラインを基準体重値ａ以上の範囲まで延長し、延長した基準ＢＭＩ値ｃ´よりも低体重側にある範囲を高身長タイプＹに加えたことを特徴とする寝具選定システム。
【発明の詳細な説明】
【技術分野】
【０００１】
本発明は、寝具寝装分野において、敷寝具について体重と身長と体格指数（以下ＢＭＩと称す・体重／身長2）による人の体型を分類する方法と、それを利用した寝具選定システムに関する。
【背景技術】
【０００２】
寝具に寝たときの正しい寝姿勢は、真っ直ぐに人が立ったときの状態がよいとされており、自分にフィットする寝具を選定するに際して、立った姿勢で体型を計測（特許文献１）し寝姿勢とみなし、後は寝具に横たわり体圧分布を計測し寝具の選定をする方法がとられている場合が多い。
【０００３】
寝姿勢とは、寝たときの体と敷き寝具との間の寝具の沈み込み変形状態と定義すればその計測方法は、簡単な光学的な反射で簡単に計測することは出来ない。ふとんに寝たときの寝具の変形形状を石膏で固めてその形状を計測したり、人が寝ている状態で寝具の裏面から細い棒を寝具に差し込み変形状態を計測するなどされている。さらには、Ｘ線透過写真を使う方法までとられた例がある。
【０００４】
本発明者らは、寝たときの体と敷き寝具との間の沈み込み変形と体圧とを同時計測し寝姿勢の最適値を計測し、最適寝具を選定する装置や計測方法（特許文献２，３）とを提案した。
かかる方法であれば、寝具売場で各人が使用する寝具で直接寝姿勢を計測し、自分にマッチした寝具を選定することができる。
【０００５】
また、敷寝具を身長方向に複数部に分割し、寝具材料の硬さを各人の体型に合わせた寝具（特許文献４）が開示されている。これらは個人個人の体型に合わせた寝具の選定という事になり、不特定の人々が使用するホテル，旅館などにおいては、宿泊したすべての人の体格に合った寝具を提供することは出来ない。
そのため、ホテル，旅館などにおいては、不特定の人が同じ寝具を入れ替わり使うので、個々の使用者にとって寝具が硬いとか柔らかいという問題が起り、誰にでもフィットする寝具が求められているが、人の体型は千差万別であり、容易に解決できるものではない。
【０００６】
本発明者らは、自分の体型にマッチした敷寝具を選定するために、仰臥姿勢で寝たときの後正中線に沿って敷寝具の沈み込み形状と体圧を計測する装置と方法を特開２００３−１３０６３４号、特開２００３−１３０６３５号で提案しており、かかる方法により個人個人の体型にフィットした寝具選定が可能になった。
【０００７】
しかし、ホテル，旅館などにおいては、各人にマッチする寝具を提供することが好ましいが、様々な体型の人を事前に一人一人計測し、準備することは難しい。然し、ホテル，旅館などに客が到着する前にホテル等が客の体重，身長等の体型情報を入手しておき敷寝具を準備しておけば自分にマッチした寝具で就寝することができ、寝具に対する不満もなくなり高度のサービスが約束されることになる。
【特許文献１】特開２０００−８３９２８号公報
【特許文献２】特開２００３−１３０６３４号公報
【特許文献３】特開２００３−１３０６３５号公報
【特許文献４】特開２００３−３８３０４号公報
【発明の開示】
【発明が解決しようとする課題】
【０００８】
上記の点に鑑みて、本発明は、不特定の人々が使用するホテル，旅館などにおいて、敷ふとん，ベッドマットレス等を宿泊者の体型に合わせて準備することを可能とする寝姿勢体型の分類方法及びその体型分類法を利用し宿泊者の体型に適した寝具で快適に寝ることができる寝具選定システムを提供することを目的とする。
【課題を解決するための手段】
【０００９】
請求項１の発明にあっては、寝姿勢の体型別分類方法であって、体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐより低体重側は基準身長値ｂ´のラインを、前記交点Ｐ以上の高体重側ではＢＭＩ値ｃ´のラインをそれぞれ境界線として低体重範囲Ｓを高身長Ｙタイプ側と低身長Ａタイプ側とに２分割し、高身長Ｙタイプ側をほっそり体型，低身長Ａタイプ側を小柄体型として寝姿勢体型を分類する分類方法である。
請求項３の発明にあっては、請求項１の寝姿勢の体型別分類方法を利用する寝具選定システムであって、体重，身長をｘ−ｙ軸とし、所定の体重，身長及び体格指数ＢＭＩを基準に、まず、６０〜７０ｋｇの間の基準体重値ａのラインで体重を高体重範囲Ｈと低体重範囲Ｓの２群に分け、該所定基準体重値ａ以上の高体重範囲Ｈでは、１７０〜１８０ｃｍの間の基準身長値ｂのラインとＢＭＩ２４〜２８の間の基準ＢＭＩ値ｃのラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブ側と低身長Ｂタイプ側とに２分割し、高身長Ｌタイブ側をがっちり体型，低身長Ｂタイプ側を中肉中背体型とし、一方、所定基準体重ａ未満の低体重範囲Ｓ側では、１６０〜１７０ｃｍの間の基準身長値ｂ´のラインとＢＭＩ値１７．５〜２０の間の基準ＢＭＩ値ｃ´のラインとの交点Ｐより低体重側は基準身長値ｂ´のラインを、前記交点Ｐ以上の高体重側ではＢＭＩ値ｃ´のラインをそれぞれ境界線として低体重範囲Ｓをを高身長Ｙタイプ側と低身長Ａタイプ側とに２分割し、高身長Ｙタイプ側をほっそり体型，低身長Ａタイプ側を小柄体型として寝姿勢体型を分類し、上記寝姿勢体型分類方法により、寝具使用者の体型を事前に検知し、あらかじめ身長体重のバラエテイに順じて準備した寝具の内から、寝具を使用する人の体重と身長に見合った敷き寝具を選択する。
そして、請求項２，４の発明にあっては、Ｂタイプ及びＹタイプの領域を広くするために基準ＢＭＩ値ｃのラインを基準体重値ａ以下の範囲で延長し、延長した基準ＢＭＩ値ｃよりも高体重側にある範囲を低身長Ｂタイプの範囲に加え、基準ＢＭＩ値ｃ´のラインを基準体重値ａ以上の範囲まで延長し、延長した基準ＢＭＩ値ｃ´よりも低体重側にある範囲を高身長タイプＹに加えている。
【発明の効果】
【００１０】
人が横になったときの体と寝具との寝姿勢形状について、寝姿勢係数ＳＰＩと寝姿勢曲線を対比解析することにより、体重，身長，体格係数（ＢＭＩ：Ｂｏｄｙ  Ｍａｓｓ  Ｉｎｄｅｘ）から体型を分類することで寝姿勢を推定することが可能になった。
不特定の人が同じ寝具を入れ替わり使うホテル，旅館などで事前に客の体重、身長の体型情報を入手しておきそのデータに基づき客に最も適した敷き寝具を準備することで、客は自分に最もマッチした寝具で就寝することが可能になった。
【発明を実施するための最良の形態】
【００１１】
本発明を実施するための最良の形態を次に説明する。
人の体重は立った時には全て足の裏にかかるが、横に寝ると、身体の部位によって重量が違うため、体圧のかかり方が異なる。また、体型形状は部位別に凹凸があり、敷寝具材料が均質であれば、部位により体圧、沈み込み状態は変化する。寝具に仰臥姿勢、側臥姿勢で寝たときの体圧分布を計測すると仰臥姿勢では腰（臀）部に、横になって寝たときは腰部や肩に大きく体圧がかかることがわかる。
【００１２】
第２図は敷寝具に寝た時の沈み込み形状を計測したものである。沈み込み形状がよく判るように厚さ１５ｃｍの低反撥ウレタンマットレスの上に仰臥姿勢で後正中線に沿った身長方向の沈み込みと敷寝具に対し９０度の角度での側臥姿勢で寝た時の沈み込み形状を示す。仰臥位では臀部と背部が、側臥位では肩と腰の部分の変形が大きいことがわかる。
【００１３】
敷寝具のフィット性は、体圧と沈み込み状態に左右されることになり、人の体重、体型形状により変化する。勿論、寝方（仰臥位、側臥位など）も考慮する必要があるが、変形と沈み込みを計測するということでは、仰臥姿勢、側臥姿勢どちらかを計測すれば寝具の特性を評価できる。
【００１４】
仰臥姿勢で使用した各種敷寝具について就寝者の後正中線に沿った部位の沈み良と体圧について計測した図を図１に示す。図１ａはソフトな木綿わたを使った“和とじふとん”図１ｂはポリエステル硬わたの周りを羊毛わたで包んだ“羊毛硬わたふとん”、そして、図１ｃは凹凸ウレタンフォームの表面に凹凸プロファイル加工を施した“プロファイルふとん”である。
いずれも市販されている布団で、和とじふとんは、全体に体圧分散は良いが沈み込みが大きく、臀部はやや底付きして体圧が高くなっている。羊毛硬わたふとんは芯部分が硬わたで構成されており、体重により沈み込み変形が抑えられているが臀部の体圧は高い。プロファイルふとんは表面の凹凸形状によりウレタンフォームの表面張力が低減され、体圧分散も沈み込みも良好である。
【００１５】
発明者は、各種寝具に寝たときの寝心地と寝姿勢曲線の標準偏差（寝具表面をゼロとした値の変化）から、寝心地を数値化できる寝姿勢係数ＳＰＩ（Ｓｌｅｅｐ  Ｐｏｓｉｔｉｏｎ  Ｉｎｄｅｘ）を提案した。
ＳＰＩとは、体圧曲線及び沈み曲線の標準偏差（ＳＤ：Ｓｔａｎｄａｒｄ  Ｄｅｖｉａｔｉｏｎ）の値（それぞれ体圧ＳＤ、沈みＳＤと呼ぶ）から導き出される数値で、体圧ＳＤ、沈みＳＤはそれぞれのふとんに寝たときの寝姿勢曲線から算出でき、その値は図１ａ，１ｂ，１ｃの中に示す。
【００１６】
さらに、体圧ＳＤ、沈みＳＤを次式で一元化した数値として表現できる。
ＳＰＩ＝（沈みＳＤ）n×（体圧ＳＤ）m  ０＜ｎ＜ｍ
本特許では、  ｎ＝１．０    ｍ＝１．５  としてＳＰＩを算出している。
体圧と沈み込み変化が最も少ない寝具が自分にフィットした寝具ということである。
ＳＰＩの数字が小さいほど各人の体型にフィットした寝具である。
【００１７】
一方、人の体型は体重、身長をベースにした体格指数（ＢＭＩ・Ｂｏｄｙ  Ｍａｓｓ  Ｉｎｄｅｘ）で表現できる。１９９９年の日本肥満学会によれば、体格指数（以下ＢＭＩと云う）は、身長の二乗に対する体重の比の体格を表す指数である。
即ち、    ＢＭＩ＝（体重ｋｇ）／（身長ｍ）2
そして、ＢＭＩ＜１８．５は痩身、１８．５≦ＢＭＩ＜２５は普通体格、２５≦ＢＭＩは肥満と分類され、体格を表す指標となる。
図３は、４種類の硬さの異なるふとんについて、各被験者のＳＰＩ（寝姿勢係数）平均値を示している。
図は、左から体重の順になっており、被験者イが４０ｋｇ、一番右の被験者オが１００ｋｇである。右側の体重の重い被験者群ではＳＰＩの差が少ないのに対して、左側の軽い体重側の被験者群のＳＰＩのバラツキが大きいことが判る。しかし、被験者群を体重別に２分したとすると体重６５ｋｇがその境となる。
図４は、各被験者を体重順に並べてＢＭＩ（体格指数）をみたものである。図３と比較してみると、図３同様被験者をイロハニホヘ群とトチリヌルオ群とに分けることができる。即ち、被験者を２分した場合、体重６５ｋｇが一つの境界線として考えることができる。日本人の平均体重は約６５ｋｇであり体型を考える一つの目安とすることが出来る。
そこで、本発明者らは体重、身長ＢＭＩ（体格指数）から様々な人の体型を分類しそれぞれの体格に応じた寝具を選定し使用するようにした。
【００１８】
上記寝具選定には図５に示す体型分類表を用いる。体型分類表は、体重，身長をｘ−ｙ軸とし、所定の体重，身長，及び体格指数ＢＭＩ値を基準に、まず、６０〜７０ｋｇの間の基準体重値ａ（６５ｋｇとする）のラインで体重を高体重範囲Ｈと低体重範囲Ｓの２群に分ける。基準体重値ａを６５ｋｇとするのは、前述の如く体型を考える一つの目安となる日本人の平均体重値であるからである。該所定基準体重値ａ以上の高体重範囲Ｈでは、１７０〜１８０ｃｍの間の基準身長値（高体重範囲の平均身長）ｂのラインによって高身長側と低身長側とに２分すると共にｂのラインとＢＭＩ２４〜２８の間の基準ＢＭＩ値ｃ（ＢＭＩ値２５）のラインの交点Ｐ未満の低体重側ではＢＭＩ値ｃのラインを、前記交点Ｐ以上の高体重側では基準身長値ｂのラインをそれぞれ境界線として高体重範囲Ｈを高身長Ｌタイブタイプ側と低身長Ｂタイプ側とに２分割する。高身長Ｌタイブタイプ側をがっちり体型，低身長Ｂタイプ側を中肉中背体型とする。前記において、同身長であって基準ＢＭＩ値Ｃのラインよりも体重を有する者は肥満型であり、体重の少ない者は標準体型と云うことになる。一方、所定基準体重ａ未満の低体重範囲Ｓ側では、１６０〜１７０ｃｍの間の基準身長値（低体重範囲の平均身長）ｂ´のラインによって高身長側と低身長側とに２分すると共にｂ´のラインとＢＭＩ値１７．５〜２０の間の基準ＢＭＩ値ｃ´（ＢＭＩ値１８）のラインとの交点Ｐ´より低体重側は基準身長値ｂ´のラインを、前記交点Ｐ´以上の高体重側ではＢＭＩ値ｃ´のラインをそれぞれ境界線として低体重範囲Ｓをを高身長Ｙタイプ側と低身長Ａタイプ側とに２分割する。高身長Ｙタイプ側をほっそり体型，低身長Ａタイプ側を小柄体型とする。前記において同身長であって基準ＢＭＩ値ｃ´のラインよりも体重を有する者は標準体型であり、体重の少ない者は痩身体型と云え、このようにして寝姿勢体型を分類する。
【００１９】
更に、体重の軽重、身長の高低等によっては、上記判別により区別が必ずしも最善とは云えないケースも生じる。即ち、低体重範囲の人であっても、身長の少ない人は単位身長当りの重量は大となり高体重範囲の人と同等の条件の寝具の方が好ましいと云うことが生ずる場合がある。また、逆に高体重範囲の人であっても身長の高い人は単位身長当りの重量は小となり低体重範囲の人と同等の条件の寝具の方が好ましいと云ことが生ずる場合がある。このような条件の人にも適合する体型分類表を図６に示す。
【００２０】
この体型分類表にあってはＢタイプ型に寝具を提供する場合には以下の修正を行う。即ち、低体重範囲Ｓ内に延長されたＢＭＩ値２５の線ｃよりも高体重側の人をＢタイプに編入する。また、高体重範囲Ｈ内に延長されたＢＭＩ値１８の線ｃ´よりも低体重側の人をＹタイプに編入する。この操作により体重差による微妙な体型変動を修正することも出来る。
そして、就寝者の身長，体重等を上記表にプロットすることにより就寝者のがっちり体型，中肉中背体型，ほっそり体型，小柄体型の体型を知ることが出来る。
【００２１】
そして、ホテル，旅館等においてはあらかじめ宿泊客の前記体型を知らせてもらうことによって、上記寝姿勢体型分類方法により、寝具使用者の体型を事前に知得しておく。そして旅館等にあっては、硬さ例えばソフト（Ｓ），ミドル（Ｍ），ハード（Ｈ）等の硬さの異なる寝具を適宜数用意しておく。前記寝具は、就寝者の上半身から脚部にかけて適宜分割されたものでも１枚のものでも差し支えないが、身体のなじみを考慮すれば３等分程度に分割したものが好ましい。１枚物であってはＡタイプ用として全体に柔らかいもの、Ｙタイプ用としてやや柔らかいもの、Ｂタイプ用としてやや硬めのもの、Ｌタイプ用として硬めのものとする。そして分割したものにあっては、３分割の場合を例とすると、Ａタイプの客については上半身から脚部にかけてＳ，Ｓ，Ｓの寝具とし、Ｙタイプの客については同様にＳ，Ｍ，Ｓの寝具とし、Ｂタイプの客については同様にＭ，Ｈ，Ｍの寝具とし、Ｌタイプの客については同様にＨ，Ｈ，Ｍの寝具とする。このようにあらかじめ身長体重のバラエテイに順じて準備した寝具の内から、寝具を使用する人の体重と身長に見合った敷き寝具を選択提供することになる。これによって就寝者は自分の体型に最も適した寝具によって就寝することになる。
【図面の簡単な説明】
【００２２】
【図１】就寝時の身体各部の沈み込みと体圧を示す図で、ａは和とじふとん、ｂは羊毛硬わたふとん、ｃはプロファイルふとんを示す。
【図２】仰臥位と側臥位での寝具沈み形状を示す。
【図３】４種類の硬さの異なるふとんについて、各被験者のＳＰＩ平均値を示す。
【図４】体重順の被験者のＢＭＩを示す。
【図５】本発明体型分類表
【図６】Ｂタイプ及びＹタイプの領域を広くした本発明体型分類表
【符号の説明】
【００２３】
Ｓ  低体重範囲
Ｈ  項体重範囲
ａ  体重値
ｂ  身長値
Ｐ，Ｐ´  交点
【図１】
2006320647.tif 000003
【図２】
2006320647.tif 000004
【図３】
2006320647.tif 000005
【図４】
2006320647.tif 000006
【図５】
2006320647.tif 000007
【図６】
2006320647.tif 000008